(57)【要約】【課題】クリップボードにおいて平板の裏側に紙類を収納する収納部の変形を抑えることで、平板をより安定的に保持できるものとし、平板の表側に支持された紙類への記入が難しくなることを抑える。【解決手段】挟持部１０Ａは、平板１１における表側の板面１１Ｂに配設され、紙類９０を挟み込んで表側の板面１１Ｂに載せた状態に保持する。平板１１における裏側の板面からは、裏側に張り出されて紙類９０を収納する収納部１２が設けられる。収納部１２は、この収納部１２の変形を抑えることが可能な硬質に形成され、かつ、紙類９０の出し入れを実現させる出し入れ口１２Ａを挟持部１０Ａが設けられる一方に向かって常時開放させる。【選択図】図２
0003197616.tif 000002
【実用新案登録請求の範囲】
【請求項１】
硬質に形成されることで変形が抑えられた平板と、当該平板の縁部のうち、当該平板の携帯時に水平方向よりも上となる方向に向けられる一方の縁部に設けられた挟持部とを有するクリップボードにおいて、
前記挟持部は、前記平板における表側の板面に配設され、かつ、紙類を挟み込むことでこの紙類を前記表側の板面に載せた状態に保持することができるように構成され、
前記平板における裏側の板面には、この板面に沿って前記裏側に張り出されて、紙類の収納および出し入れが可能とされた収納部が設けられ、
前記収納部は、当該収納部の変形を抑えることが可能な硬質に形成され、かつ、当該収納部において紙類の出し入れを実現させる出し入れ口を前記一方に向かって常時開放させている、
クリップボード。
【請求項２】
請求項１に記載されたクリップボードであって、
前記収納部は、当該収納部において当該収納部の携帯時に水平方向よりも下となる方向に向けられる他方に位置される底部に、前記収納部の内部と外部とを繋ぐように貫通された貫通孔を備えている、
クリップボード。
【考案の詳細な説明】
【技術分野】
【０００１】
本考案は、平板の表側に紙類を挟みこむ挟持部を、上記平板の裏側に紙類を収納可能な収納部を、それぞれ設けて形成したクリップボードに関する。
【背景技術】
【０００２】
従来から一般的に使用されているクリップボードは、硬質に形成された平板における一方の縁部に挟持部を設けることで、この挟持部を上側に向けた状態で紙類を挟み、この紙類を上記平板に載せた状態に支持させるものである。この構成によれば、クリップボードの使用者は、片手でクリップボードの平板を保持することでその挟持部に挟まれた紙類を上記平板に載せた状態として携帯し、上記紙類をもう一方の手で操作することができる。これにより、クリップボードの使用者は、例えばこの使用者が野外あるいは工場などの現場にいる場合など、紙類を支持する設備（例えば机あるいはテーブル）を利用することができない場合であっても、上記紙類への記入およびこの紙類に記載された事項の参照を容易に行うことができる。
【０００３】
しかし、上記構成のクリップボードには、以下のような問題があった、すなわち、ある紙類に記載された事項を参照しながらこの紙類とは別の紙類に記入を行う作業を想定してこの２種類の紙類をクリップボードにより一緒に携帯し、上記作業を実際に行う場合に、上記２種類の紙類の分離に手間取るおそれ、あるいは、この各紙類を落としてしまうおそれがあった。
【０００４】
上記問題の具体例としては、工場などの現場において点検者が行う各種の点検作業があげられる。この点検作業においては、上記点検者は、点検の要領が記載されたチェックリスト、および、このチェックリストとは別綴りとされた記録用紙の両方を、クリップボードの挟持部に挟み込んで携帯する。そして、上記点検者は、所定の点検場所において上記挟持部の挟持を緩めて上記クリップボードから上記チェックリストを分離させ、このチェックリストを参照しながら点検を行い、点検結果を上記記録用紙に記入する。この場合、上記チェックリストの分離の際に上記クリップボードから上記記録用紙がずれ落ちる可能性、あるいは、上記点検者が上記記録用紙のずれ落ちを抑えようとして上記チェックリストの分離に手間取る可能性がある。
【０００５】
上記問題を解決することが可能な技術としては、例えば特許文献１に開示されている技術が知られている。この技術では、平板の表側に紙類を挟みこむ挟持部を、上記平板の裏側に紙類を収納可能な袋状の収納部を、それぞれ設けることでクリップボードを形成する。このクリップボードによれば、記入を行うべき紙類を挟持部に挟み込み、記載された事項を参照するべき紙類を収納部に収納して各紙類を携帯することで、上記記入を行うべき紙類を落とすことなく、上記記載された事項を参照するべき紙類を容易に取り出すことができる。
【先行技術文献】
【特許文献】
【０００６】
【特許文献１】実用新案登録第３１４０３２５号公報
【考案の概要】
【考案が解決しようとする課題】
【０００７】
しかし、上記特許文献１に開示された従来の技術では、変形可能な袋状の収納部が、クリップボードの平板において、この平板が紙類を支持する表側とは反対側の裏側に設けられる。このため、上記従来の技術では、使用者がクリップボードをこのクリップボードの平板を手で保持して使用する際に、上記使用者がクリップボードの収納部が変形することによる不安定感を覚えて、上記平板に支持された紙類への記入に支障が出ることがあった。また、上記従来の技術では、使用者がクリップボードの平板を机あるいはテーブルなどの支持体の上に載せた状態で使用する際に、上記平板の裏側に設けられた収納部の変形により上記平板が不安定となることで、この平板に支持された紙類への記入に支障が出ることがあった。
【０００８】
本考案は、表側に紙類を支持する平板と、この平板の裏側に設けられて紙類を容易に取り出せるように収納する収納部とを備えたクリップボードにおいて、上記収納部の変形を抑えることで、上記平板をより安定的に保持できるものとして、この平板に支持された紙類への記入が難しくなることを抑えることを可能とするものである。
【課題を解決するための手段】
【０００９】
上記課題を解決するために、本考案のクリップボードは以下の手段をとる。
【００１０】
まず、第１の考案は、硬質に形成されて変形が抑えられた平板と、この平板の縁部のうち、この平板の携帯時に水平方向よりも上となる方向に向けられる一方の縁部に設けられた挟持部とを有するクリップボードである。上記挟持部は、平板における表側の板面に配設され、かつ、紙類を挟み込むことでこの紙類を上記表側の板面に載せた状態に保持することができるように構成されている。上記平板における裏側の板面には、この板面に沿って上記裏側に張り出されて、紙類の収納および出し入れが可能とされた収納部が設けられている。この収納部は、この収納部の変形を抑えることが可能な硬質に形成され、かつ、この収納部において紙類の出し入れを実現させる出し入れ口を上記一方に向かって常時開放させている。
【００１１】
この第１の考案によれば、クリップボードの平板からこの平板の裏側に張り出される収納部を硬質に形成することで、この収納部の変形を抑えることができる。これにより、上記平板をより安定的に保持できるものとして、この平板に支持された紙類への記入が難しくなることを抑えることができる。また、上記収納部において紙類の出し入れを行うための出し入れ口を、平板の携帯時に水平方向よりも上となる方向に向けられる一方に常時開放させる構成によれば、収納部に収納された紙類を容易に取り出すこと、および、上記携帯時において上記出し入れ口からの紙類の抜け落ちを抑えることを両方とも実現させることができる。
【００１２】
ついで、第２の考案は、上述した第１の考案において、上記収納部は、この収納部においてこの収納部の携帯時に水平方向よりも下となる方向に向けられる他方に位置される底部に、収納部の内部と外部とを繋ぐように貫通された貫通孔を備えているものである。
【００１３】
この第２の考案によれば、収納部の内部に水またはゴミなどの異物が入り込んだ場合に、この異物を収納部に形成された貫通孔を通して外部に排出することができる。ここで、収納部の貫通孔を、収納部の携帯時に水平方向よりも下となる方向に向けられる他方に位置された底部に設ける構成によれば、収納部の内部に入り込んだ異物が重力によって下方に移動されることで、上記収納部の内部から外部への上記異物の排出が容易に行われるようになる。
【図面の簡単な説明】
【００１４】
【図１】第１の実施形態にかかるクリップボード１０の使用状態を表した斜視図である。
【図２】図１のクリップボード１０を表した正面図である。
【図３】図１のＩＩＩ線矢視図である。
【図４】図３のＩＶ−ＩＶ線断面図である。
【図５】図１のクリップボード１０を表した底面図である。
【図６】第２の実施形態にかかるクリップボード２０の使用状態を表した斜視図である。
【図７】第３の実施形態にかかるクリップボード３０を表した斜視図である。
【図８】図７のクリップボード３０を表した底面図である。
【図９】図７のクリップボード３０を表した正面図である。
【図１０】図９のＸ−Ｘ線断面図である。
【考案を実施するための形態】
【００１５】
以下に、本考案を実施するための形態について、図面を用いて説明する。なお、以下においては、各構成が互いに接合される接合面および接合された各構成を互いに接着させる接着剤など、本考案において付随的な構成について、その図示および詳細な説明を省略する。
【００１６】
〈第１の実施形態〉
始めに、第１の実施形態にかかるクリップボード１０の構成について、図１ないし図５を用いて説明する。このクリップボード１０は、図１および図２に示すように、硬質なプラスチック（例えばアクリル樹脂）によって、変形が抑えられた直方体の薄板として形成された平板１１に対して、この平板１１の一方（図２で見て上方）の縁部に挟持部１０Ａを取り付けて形成したクリップボードである。このクリップボード１０は、クリップボード１０の使用者（図示省略）が工場などの現場において各種の点検作業を行う際に使用される。
【００１７】
挟持部１０Ａは、図２および図５に示すように、平板１１における片側（以下、「表側」と称する。）の板面１１Ｂに配設されている。また、挟持部１０Ａは、図２および図５の仮想線で示すように、スプリング（図示省略）によって付勢されることで、平板１１の表側の板面１１Ｂとともに紙類９０を挟み込んで保持することができるようになっている。
【００１８】
なお、クリップボード１０における上記一方は、平板１１の携帯時に水平方向よりも上に向けられる方向に設定されている。これにより、クリップボード１０は、図５に示すように、紙類９０を挟み込んだ挟持部１０Ａが上側に向けられることで、挟み込まれた紙類９０を平板１１の表側の板面１１Ｂに載せた状態に支持することができる。
【００１９】
また、平板１１においては、図１および図３に示すように、上記表側とは反対側となる裏側の板面１１Ａに、この板面１１Ａに沿って上記裏側に張り出された収納部１２が設けられている。この収納部１２は、上述した一方（図３で見て上方）に向かって常時開放された出し入れ口１２Ａを備えて、この出し入れ口１２Ａを介して紙類９０を収納部１２の内部に収納することと、この収納部１２に収納された紙類９０を出し入れ口１２Ａから取り出すこととを実現させるようになっている。
【００２０】
上記構成によれば、収納部１２において紙類９０の出し入れを行うための出し入れ口１２Ａが、平板１１の携帯時に水平方向よりも上となる方向に向けられる。これにより、収納部１２に収納された紙類９０を容易に取り出すこと、および、上記携帯時において出し入れ口１２Ａからの紙類９０の抜け落ちを抑えることを両方とも実現させることができる。
【００２１】
ここで、収納部１２の出し入れ口１２Ａは、図１に示すように、その縁部が部分的に凹んだ形状に形成されている。この凹みは、収納部１２に収納された紙類９０を出し入れ口１２Ａから取り出しやすくする作用効果を有している。
【００２２】
また、収納部１２は、平板１１を形成するアクリル樹脂と同質のアクリル樹脂によって、収納部１２の変形を抑えることが可能な硬質に形成されている。これにより、クリップボード１０において収納部１２の変形を抑え、平板１１をより安定的に保持できるものとして、この平板１１に支持された紙類９０（図２および図５の仮想線を参照）への記入が難しくなることを抑えることが可能となる。
【００２３】
さて、クリップボード１０において、平板１１は、図１および図２に示すように、収納部１２の出し入れ口１２Ａからさらに上述した一方（図２で見て上方）に向かって延びるように配設されている。また、平板１１の裏側の板面１１Ａには、図１および図３に示すように、出し入れ口１２Ａから見て上記一方（図３で見て上方）に位置される部分にスライダー１３が取り付けられている。
【００２４】
スライダー１３は、図３および図４に示すように、平板１１の角となる部分において裏側の板面１１Ａから突出された突出体１３Ｄに、スライド孔１３Ｅを介して取り付けられている。このスライド孔１３Ｅは、突出体１３Ｄに貫通され、かつ、平板１１の上記一方の縁部に沿う方向（図３で見て左右方向）に延びるように配設されている。そして、スライダー１３は、スライド孔１３Ｅに対してこのスライド孔１３Ｅに挿通されることで、平板１１の上記一方の縁部に沿う方向（図３で見て左右方向）にスライド移動することができるように嵌合される。
【００２５】
なお、突出体１３Ｄは、硬質なプラスチック（例えば平板１１を形成するアクリル樹脂と同質のアクリル樹脂）によって形成されて、平板１１の裏側において収納部１２と面一となる（図１参照）ように突出される。また、スライダー１３は、突出体１３Ｄを形成するプラスチックよりも軟質で弾性変形をしやすいプラスチック（例えばポリアセタール樹脂）によって、全体が一体に形成される。
【００２６】
また、スライダー１３は、図３および図４に示すように、平板１１の側縁部から突出される側（図示右側）の端に、クリップボード１０の使用者（図示省略）がつまんで押し引きすることが可能な板状に形成された押し引きつまみ１３Ｂを備えている。この押し引きつまみ１３Ｂは、クリップボード１０の使用者（図示省略）が押し引きつまみ１３Ｂをつまんで、この押し引きつまみ１３Ｂを介してスライダー１３を押し引きすることを可能とするものである。
【００２７】
ここで、スライダー１３は、上記使用者による押し引きによって、平板１１に対してこの平板１１の上記一方の縁部に沿う方向（図３で見て左右方向）にスライド移動されるようになっている。そして、スライダー１３は、上記スライド移動により、突出体１３Ｄに向けてスライダー１３の押し引きつまみ１３Ｂが押し込まれた押し込み状態（実線を参照）と、この押し引きつまみ１３Ｂが突出体１３Ｄから引き出された引き出し状態（仮想線を参照）とに切り替えられるようになっている。
【００２８】
ここで、押し引きつまみ１３Ｂは、図４に示すように、スライダー１３において突出体１３Ｄのスライド孔１３Ｅに挿通される部分から突出体１３Ｄの突出方向（図示上方向）に向かって延び、この突出体１３Ｄに対して面一となるように設けられている。これにより、クリップボード１０の使用者（図示省略）は、スライダー１３が上記引き出し状態にある場合に、押し引きつまみ１３Ｂに指をかけてこの押し引きつまみ１３Ｂを押圧することで、スライダー１３をスライド移動させて上記押し込み状態に切り替えることができる。
【００２９】
また、スライダー１３は、図３および図４に示すように、押し引きつまみ１３Ｂとは反対側に位置される端（図示左側の端）に、クリップボード１０の使用者（図示省略）がつまんで押し引きすることが可能な板状に形成された抜け止め部１３Ａを備えている。この抜け止め部１３Ａは、図４に示すように、スライダー１３において突出体１３Ｄのスライド孔１３Ｅに挿通される部分から突出体１３Ｄの突出方向（図示上方向）に向かって延び、この突出体１３Ｄに対して面一となるように設けられている。
【００３０】
上記構成によれば、抜け止め部１３Ａは、押し引きつまみ１３Ｂとともにスライダー１３が突出体１３Ｄのスライド孔１３Ｅから抜けて脱落することを抑える機能を発揮する。また、クリップボード１０の使用者（図示省略）は、抜け止め部１３Ａをつまんでこの抜け止め部１３Ａを介してスライダー１３を押し引きし、このスライダー１３をスライド移動させることが可能となる。また、上記使用者は、上述した押し込み状態において押し引きつまみ１３Ｂをつまんで押し引きすることが難しいと感じた場合に、突出体１３Ｄから突出された状態の抜け止め部１３Ａに指をかけてこの抜け止め部１３Ａを押圧することで、スライダー１３を容易にスライド移動させて上述した引き出し状態への切り替えを行うことができる。
【００３１】
さらに、上記構成によれば、スライダー１３において平板１１の裏側に突出される各構成である突出体１３Ｄおよび押し引きつまみ１３Ｂならびに抜け止め部１３Ａは、それぞれ収納部１２に対して面一とされる。このため、収納部１２を下側に向けて支持体（例えば机あるいはテーブル。図示省略）の上に載せたときに、この支持体とスライダー１３において突出される上記各構成とが干渉して収納部１２が上記支持体から浮き上がった状態となることが抑えられる。これにより、支持体（図示省略）の上に載せた状態で使用する場合でも、平板１１が不安定となってこの平板１１に載せられた状態に支持された紙類９０（図５の仮想線を参照）への記入が難しくなることが抑えられたクリップボード１０を提供することができる。
【００３２】
ところで、スライダー１３は、図３に実線で示すように、上述した押し込み状態において、スライダー１３の抜け止め部１３Ａが収納部１２の出し入れ口１２Ａに対して上記一方から干渉されやすくなるように突出された状態とされる。また、スライダー１３は、図３に仮想線で示すように、上述した引き出し状態において、スライダー１３の抜け止め部１３Ａが収納部１２の出し入れ口１２Ａに対して干渉されにくくなるように引き込まれた状態とされる。
【００３３】
上述した各構成によれば、スライダー１３をスライド移動させて上記押し込み状態に切り替え、スライダー１３の抜け止め部１３Ａを収納部１２の出し入れ口１２Ａ（図３参照）に干渉されやすくすることで、この出し入れ口１２Ａにおける紙類９０の出入りを規制することができる。これにより、収納部１２の出し入れ口１２Ａを常時開放させた構成としながら、必要なときにはこの出し入れ口１２Ａにおける紙類９０の出入りを規制して出し入れ口１２Ａからの紙類９０の抜け落ちを抑えることができる。また、抜け止め部１３Ａを収納部１２に対して面一とされるように突出させる構成によれば、抜け止め部１３Ａにおいて平板１１の裏側に突出された先端部分と出し入れ口１２Ａとの間に生じる隙間を通じて紙類９０が抜け落ちることが抑えられたクリップボード１０を提供することができる。
【００３４】
なお、突出体１３Ｄのスライド孔１３Ｅには、図３および図４に示すように、突出体１３Ｄが突出される側（図４で見て上側）の面から平板１１側（図４で見て下側）に向かって、平板１１の側縁部と平行に（図３参照）突出された係止突起１３Ｆが１本設けられている。また、スライダー１３には、係止突起１３Ｆに対して嵌め外し可能に係止することが可能な係止溝１３Ｃが２本設けられている。
【００３５】
ここで、２本の係止溝１３Ｃのうち１本は、スライダー１３が上記押し込み状態にあるときに、スライド孔１３Ｅの係止突起１３Ｆに対して互いに対向されて係止されるように配設されている。また、２本の係止溝１３Ｃのうち残り１本は、スライダー１３が上記引き出し状態にあるときに、スライド孔１３Ｅの係止突起１３Ｆに対して互いに対向されて係止されるように配設されている。この構成によれば、スライダー１３が上記押し込み状態または上記引き出し状態にあるときにスライダー１３の係止溝１３Ｃの１本とスライド孔１３Ｅの係止突起１３Ｆとを互いに嵌め外し可能に係止させることができる。そして、上記スライダー１３の各状態が使用者（図示省略）の意図によらずに切り替わることが抑えられたクリップボード１０を提供することができる。また、スライダー１３を突出体１３Ｄを形成するプラスチック（アクリル樹脂）よりも軟質で弾性変形をしやすいプラスチック（ポリアセタール樹脂）によって形成する構成によれば、上記係止溝１３Ｃと係止突起１３Ｆとの係止の嵌め外しを行う際に、スライダー１３が変形されることによって上記嵌め外しが容易に実現されるようになる。
【００３６】
さて、収納部１２は、図１、図２、および、図５に示すように、上述した一方とは反対側（すなわち、平板１１および収納部１２を一緒に携帯する時に水平方向よりも下となる方向に向けられる方向、図２では下方向）となる他方に底部１２Ｂを有している。この底部１２Ｂには、収納部１２の内部と外部とを繋ぐように貫通された貫通孔１２Ｃが形成されている。
【００３７】
上記構成によれば、収納部１２の内部に水またはゴミなどの異物が入り込んだ場合に、この異物を収納部１２に形成された貫通孔１２Ｃを通して外部に排出することができる。また、収納部１２の貫通孔１２Ｃを上記他方に位置された底部１２Ｂに位置させることで、収納部１２の内部に入り込んだ異物を重力によって下方に移動させ、この異物を収納部１２の内部から外部へ容易に排出することが可能となる。
【００３８】
ところで、平板１１を形成するアクリル樹脂は、図４に示すように、透明なものである。このため、平板１１は、図２に示すように、この平板１１の表側の板面１１Ｂから収納部１２の内部に収納された紙類９０を視認することが可能な透明性を有するように形成される。この構成によれば、クリップボード１０の使用者（図示省略）は、クリップボード１０の収納部１２に収納された紙類９０に記載された事項（例えば図２に隠れ線で示す紙類９０に書かれた「Ａ」の文字）を、この紙類９０を収納部１２から取り出すことなく参照することができる。
【００３９】
また、収納部１２は、平板１１を形成するアクリル樹脂と同質のアクリル樹脂によって形成されることで、内部に収納された紙類９０を外部から視認することが可能な透明性を有するように形成される。この構成によれば、クリップボード１０の使用者（図示省略）は、平板１１の表側の板面１１Ｂに紙類９０が載せられている状態（図２および図５の仮想線を参照）であっても、収納部１２を通してこの収納部１２に収納された紙類９０に記載された事項を視認して、紙類９０を収納部１２から取り出すことなく上記事項を参照することができる。
【００４０】
〈第２の実施形態〉
続いて、第２の実施形態にかかるクリップボード２０の構成について、図６を用いて説明する。第２の実施形態にかかるクリップボード２０は、第１の実施形態にかかるクリップボード１０を変形した実施形態である。したがって、上記第１の実施形態にかかるクリップボード１０の各構成と共通する構成については、第１の実施形態にかかるクリップボード１０の各構成に付した符号から、その十の位の数字を「２」に置き換えた符号を付して対応させ、その詳細な説明を省略する。
【００４１】
第２の実施形態のクリップボード２０は、図６に示すように、収納部２２からの紙類９０の出入りを規制する構成を、スライダー１３（図１を参照）からストッパー２３に置き換えたものである。
【００４２】
クリップボード２０において、平板２１は、収納部２２の出し入れ口２２Ａからさらに一方に向かって延びるように配設されて、この一方の縁部に挟持部２０Ａが取り付けられている。また、平板２１の裏側の板面２１Ａには、出し入れ口２２Ａから見て上記一方に位置される部分に、上記裏側に向かって開口されたストッパー２３の穴２３Ｂが配設されている。
【００４３】
ストッパー２３の穴２３Ｂは、図６に仮想線で示すように、ストッパー２３の差し込み棒２３Ａが差し込まれると、この差し込み棒２３Ａの先端部分に対して着脱可能に係合されることで差し込み棒２３Ａを保持するようになっている。これにより、ストッパー２３は、出し入れ口２２Ａから見て上記一方に位置される部分に差し込み棒２３Ａが突出され、この差し込み棒２３Ａが出し入れ口２２Ａの一部を上記一方から覆った状態を実現させる。
【００４４】
上記構成によれば、平板２１の裏側に開口された穴２３Ｂに差し込み棒２３Ａを差し込んでこの差し込み棒２３Ａにより収納部２２の出し入れ口２２Ａの一部を覆うことで、この出し入れ口２２Ａにおける紙類９０の出入りを規制することができる。これにより、収納部２２の出し入れ口２２Ａを常時開放させた構成としながら、必要なときにはこの出し入れ口２２Ａにおける紙類９０の出入りを規制してこの紙類９０の出し入れ口２２Ａからの抜け落ちを抑えることができる。
【００４５】
なお、ストッパー２３の差し込み棒２３Ａは、図６に示すように、リーシュコード２３Ｃを介して平板２１に繋がれている。これにより、穴２３Ｂから外されたストッパー２３の差し込み棒２３Ａが紛失されることが抑えられたクリップボード２０を提供することができる。
【００４６】
また、差し込み棒２３Ａは、平板２１を形成するプラスチック（例えばアクリル樹脂）よりも軟質で弾性変形をしやすいプラスチック（例えばポリアセタール樹脂）によって形成されている。これにより、穴２３Ｂに差し込み棒２３Ａを差し込んで係合させる操作を容易に行うことが可能なクリップボード２０を提供することができる。
【００４７】
また、差し込み棒２３Ａは、この差し込み棒２３Ａが穴２３Ｂに差し込まれて係合された状態においてこの穴２３Ｂから差し込み棒２３Ａが突出される突出長さが、平板２１の板面２１Ａから収納部２２が張り出される張り出し厚さと等しくなるように形成されている。この構成によれば、差し込み棒２３Ａにおいて平板２１の裏側に突出された根元部分と出し入れ口２２Ａとの間に生じる隙間を通じて紙類９０が抜け落ちることが抑えられたクリップボード２０を提供することができる。また、上記構成によれば、収納部２２を下側に向けて支持体（例えば机あるいはテーブル。図示省略）の上に載せたときに、この支持体と差し込み棒２３Ａとが干渉して収納部２２が上記支持体から浮き上がった状態となることが抑えられる。これにより、支持体（図示省略）の上に載せた状態で使用する場合でも、平板２１が不安定となってこの平板２１に載せられた状態に支持された紙類（図示省略）への記入が難しくなることが抑えられたクリップボード２０を提供することができる。
【００４８】
〈第３の実施形態〉
続いて、第３の実施形態にかかるクリップボード３０の構成について、図７ないし図１０を用いて説明する。第３の実施形態にかかるクリップボード３０は、第１の実施形態にかかるクリップボード１０を変形した実施形態である。したがって、上記第１の実施形態にかかるクリップボード１０の各構成と共通する構成については、第１の実施形態にかかるクリップボード１０の各構成に付した符号から、その十の位の数字を「３」に置き換えた符号を付して対応させ、その詳細な説明を省略する。
【００４９】
第３の実施形態のクリップボード３０は、図９および図１０に示すように、このクリップボード３０における平板３１および収納部３２を、それぞれ変形を抑えることが可能な硬質の素材により別体に形成したものである。具体的には、平板３１は、透明なポリエチレンテレフタラートによって、平板３１の変形を抑えることが可能な硬質に形成されている。また、収納部３２は、不透明なメラミン−ホルムアルデヒド樹脂によって、収納部３２の変形を抑えることが可能な硬質に形成されている。なお、平板３１および収納部３２は互いに異なる素材とする必要はなく、例えばクリップボード１０の平板１１および収納部１２（図１参照）を形成するアクリル樹脂と同質のアクリル樹脂によって平板３１および収納部３２を形成することが可能である。
【００５０】
収納部３２は、図８および図９に示すように、この収納部３２の各側縁部（図示左右両側の縁部）にスライド溝３２Ｄを備えている。この各スライド溝３２Ｄは、収納部３２において互いに向かい合わせとなるように配設されることで、平板３１の各側縁部（図示左右両側の縁部）をスライド移動可能に係合させている。
【００５１】
上記構成によれば、クリップボード３０の使用者（図示省略）は、図９に示すように、平板３１を収納部３２に対してスライド移動させることで、この収納部３２に収納された紙類（図示省略）を容易に取り出すことができる。このため、クリップボード３０においては、収納部３２の出し入れ口３２Ａの縁部に、この出し入れ口３２Ａから紙類（図示省略）を取り出しやすくする凹みが形成されていない。
【００５２】
また、収納部３２は、図７ないし図１０に示すように、この収納部３２の底部３２Ｂにおける平板３１側（図１０で見て上側）の端に係合部３２Ｅを備えている。この係合部３２Ｅには、図１０に示すように、平板３１の底部３２Ｂ側の縁部（図示右側の縁部）が互いに付き合わされた状態に係合されるようになっている。
【００５３】
上記構成によれば、平板３１が収納部３２に対してこの収納部３２の底部３２Ｂ側から抜けるようにスライド移動されることがなくなる。これにより、携帯時において平板３１が収納部３２から抜け落ちることが抑えられたクリップボード３０を提供することができる。
【００５４】
なお、クリップボード３０においては、図７および図９に示すように、各スライド溝３２Ｄにおける出し入れ口３２Ａ側（図９で見て上側）の各端部から平板３１が抜けることを規制する構成が設けられていない。このため、平板３１は、収納部３２に対してこの収納部３２の出し入れ口３２Ａ側から抜けるようにスライド移動されることで、収納部３２に対して互いに分離された状態（図示省略）とすることができる。
【００５５】
上記構成によれば、クリップボード３０の使用者（図示省略）は、クリップボード３０における収納部３２と平板３１とを互いに分離させ、分離された平板３１のみを保持した状態でクリップボード３０を使用することができる。これにより、クリップボード３０を従来のクリップボード（例えば上述した特許文献１を参照）と比べてより使い勝手がよいものとすることができる。
【００５６】
また、クリップボード３０においては、図７ないし図１０に示すように、収納部３２からの紙類（図示省略）の出入りを規制する構成（例えば図６に示すクリップボード２０のストッパー２３）が設けられていない。ただし、クリップボード３０において上記紙類の出入りを規制する構成を追加して設けてもよい。
【００５７】
また、クリップボード３０の挟持部３０Ａおよび貫通孔３２Ｃは、図７および図８に示すように、第１の実施形態にかかるクリップボード１０の挟持部１０Ａおよび貫通孔１２Ｃ（図１、図２、および、図５を参照）とは異なる形状に形成されている。しかしながら、クリップボード３０の挟持部３０Ａおよび貫通孔３２Ｃが有する各作用効果は、クリップボード１０の挟持部１０Ａおよび貫通孔１２Ｃが有する各作用効果と同じであるため、その詳細な説明を省略する。
【００５８】
本考案は、上述した第１ないし第３の実施形態で説明した外観、構成に限定されず、本考案の要旨を変更しない範囲で種々の変更、追加、削除が可能である。例えば、以下のような各種の形態を実施することができる。
【００５９】
（１）上述した第１の実施形態において、スライダーの具体的な構成は上述したものに限定されない。すなわち、例えば平板の板面にうがたれたスライド穴にスライダーを嵌合させ、このスライダーが平板における裏側の板面から突出されるようにスライドされる構成を採用することができる。また、スライダーを、収納部の出し入れ口の全体を覆うことができる形状に形成した構成を採用することもできる。
【００６０】
（２）本考案のクリップボードにおける平板および収納部の材質は、アクリル樹脂またはポリエチレンテレフタラートあるいはメラミン−ホルムアルデヒド樹脂に限定されない。すなわち、上記平板および収納部は、例えば、ＡＢＳ樹脂、発泡ポリプロピレン、ポリ乳酸、硬質塩化ビニル、低発泡塩化ビニル、または、発泡ポリスチレンなどの、任意のプラスチックによって形成することができる。また、上記平板および収納部は、例えば木または厚紙あるいは金属など、プラスチック以外の任意の素材によって形成することもできる。
【００６１】
（３）本考案のクリップボードには、上述した第１の実施形態で説明したスライダー、および、上述した第２の実施形態で説明したストッパーの両方を一緒に備えさせることができる。
【００６２】
（４）本考案のクリップボードは、工場などの現場において各種の点検作業に使用されるクリップボードに限定されない。すなわち、本考案は、例えば画用紙に絵を描く際に画板として使用されるクリップボードあるいは回覧板として使用されるクリップボードなど、任意の種類のクリップボードに適用することができる。
【符号の説明】
【００６３】
１０    クリップボード
１０Ａ  挟持部
１１    平板
１１Ａ  板面
１１Ｂ  板面
１２    収納部
１２Ａ  出し入れ口
１２Ｂ  底部
１２Ｃ  貫通孔
１３    スライダー
１３Ａ  抜け止め部
１３Ｂ  押し引きつまみ
１３Ｃ  係止溝
１３Ｄ  突出体
１３Ｅ  スライド孔
１３Ｆ  係止突起
２０    クリップボード
２０Ａ  挟持部
２１    平板
２１Ａ  板面
２２    収納部
２２Ａ  出し入れ口
２２Ｂ  底部
２２Ｃ  貫通孔
２３    ストッパー
２３Ａ  差し込み棒
２３Ｂ  穴
２３Ｃ  リーシュコード
３０    クリップボード
３０Ａ  挟持部
３１    平板
３１Ａ  板面
３１Ｂ  板面
３２    収納部
３２Ａ  出し入れ口
３２Ｂ  底部
３２Ｃ  貫通孔
３２Ｄ  スライド溝
３２Ｅ  係合部
９０    紙類
【図１】
0003197616.tif 000003
【図２】
0003197616.tif 000004
【図３】
0003197616.tif 000005
【図４】
0003197616.tif 000006
【図５】
0003197616.tif 000007
【図６】
0003197616.tif 000008
【図７】
0003197616.tif 000009
【図８】
0003197616.tif 000010
【図９】
0003197616.tif 000011
【図１０】
0003197616.tif 000012